(57)【要約】      （修正有）【課題】装置をパック化してなる屋外機と屋内機とをコネクタで接続することにより、仮設事務所でも設置警備可能とする。【解決手段】屋外機はサイレンと回転灯内臓防犯灯とキースイッチを屋外機取り付けベースのボード上に構成し、屋内機の主装置は、各センサーの感知した情報により警備されるべき建築物の内外に設置される電子装置を作動させるコントローラー６と、パッシブインフラレッドセンサー７と、非常通報装置８と、制御器９と、屋内電子サイレン５を屋内機取り付けベース１０ボード上に構成し、装置をパック化したことにより、屋外機の配線と主装置との接続容易にして、短時間で工事可能とする。主装置には複数のセンサーを配線し、センサーで感知した情報により屋外機の装置を作動し、音と光で威嚇する一方では非常通報装置より電話回線を介して外部に通報し、室内電子サイレン若しくはベルで１００ｄＢの音声で侵入した泥棒を威嚇撃退する。【選択図】図１
0003141257.tif 000002
【実用新案登録請求の範囲】
【請求項１】
建築物の屋外に設置する屋外機取り付けベースにスピーカーサイレンと、回転灯を内蔵した防犯灯と、キースイッチとを取り付けた屋外機からの配線をコネクタで接続する屋内機取り付けベースに取り付ける主装置とを設け、主装置には非常通報装置と、パッシブインフラレッドセンサーと、制御機と、屋内電子サイレンとを屋内機取り付けベースに配置して、前記屋外機からの配線を屋内機主装置にコネクタで接続することを特徴とするパック警備システム。
【考案の詳細な説明】
【技術分野】
【０００１】
本考案は、屋外機からの配線を屋内機の主装置に接続することが容易なパック警備システムに関するものである。
【背景技術】
【０００２】
機械警備装置は、建築物の屋外、屋内の警備に実用に共されている。
しかしながら、建築物の内外に警備システムを設置する作業が複雑である。警備装置を設置したり、使用しなくなって放置してある警備装置を取り外したりする度に多くの作業時間とメンテナンスをする上で複雑な作業工程を行うことが余儀なくされている。
従来の警備装置は、長期に渡って使用されるため取り付けや取り外しには工事に手間がかかるなど、比較的短期間の使用になる仮設工事現場で建築物に仮設事務所のあるところを警備するシステムとしては不向きである。建築物の内外に設備する警備システムは、一般に工事をする時間がかかるために設備が高価なものに成る。
【０００３】
しかし、警備システムの設置される現場は、仮設事務所である場合には、建物の屋内外に工事をする作業工程が簡単で設置することも取り外すことも容易に早く工事ができるパックシステムが望まれている。
【０００４】
仮設工事現場の事務所の建物の内外を警備する用途において、この欠点は設置工事と撤退工事の迅速性、メンテナンスに関して大きな障害である。具体的には、多くの工事時間を要したり、メンテナンスが複雑になるなどの問題があった。
【０００５】
この改善策としてセンサーにより感知した情報により威嚇するためサイレンと回転灯とを備えた屋外機からの配線を、センサーで感知した情報を電話により通報する通信機能を備えてある主装置にコネクタで接続することにより、屋外機と主装置とセンサーを設置して屋内配線をする工事を容易にしようとするものである。
【特許文献１】実用新案登録第３０６６０１２号公報
【考案の開示】
【考案が解決しようとする課題】
【０００６】
解決しようとする問題点は、建築物の屋外と屋内に機械警備装置を設置する工事において障害となる設置の工事も又撤去の工事をするのも
容易にできない点である。
【課題を解決するための手段】
【０００７】
本考案は、屋外機からの配線から、屋内に設置する屋内機の主装置に容易に配線工事を可能とするため、屋外機と屋内機の主装置をそれぞれパック化し配線をコネクタで接続するようにし、主装置にセンサーを配線し、主装置に配線したセンサーで感知した情報により屋外機の装置を作動し、音と光で威嚇する。主装置に設けた非常通報装置より電話回線を介して通報し、泥棒の侵入時に室内電子サイレン若しくはベルで１００ｄＢの音声で威嚇撃退することを最も主要な特徴とする。
【考案の効果】
【０００８】
本考案のパック警備システムは、屋外機からの配線をコネクタで屋内機の主装置に接続して、主装置に接続した屋外機と屋内センサーの情報をコネクタを介して接続した主装置に設けた室内電子サイレン若しくはベルを鳴らして威嚇し、通報器より電話回線を介して通報するための屋内並びに屋外の配線工事を容易にする。
【考案を実施するための最良の形態】
【０００９】
屋外機と屋内機の主装置をパック化して短時間で接続するという目的を、屋外機取り付けベースに発声器と回転灯とキースイッチを配置してパックにしてある屋外機からの配線にコネクタを設けて、コネクタで屋外機と屋内機の主装置を配線接続し、パック警備システムの構成部品の設置と撤去工事をする時間を損なわずに容易に設置と撤去を可能にし、仮説事務所でも利用者が容易に設置可能な機械警備システムを実現した。
【実施例１】
【００１０】
図１〜２９は、本考案装置の実施例を示しており、図１８と２５は実施例１センサー１台接続時の制御機の接続図を示しており、図１９と２６は実施例２センサー２台接続時の制御機の接続図を示しており、いずれも図面の簡単な説明に示す通りである。図２０の図中に表示した数字はパック警備システムの制御リレーの接点の番号である。全ての引き出し線で示す符合については、符合の説明に示す通りである。符合８は、非常通報装置であり、同装置内各部のＡＢＣＤＥＦＧの欧文字記号で示す各部名称については、それぞれ符号の説明に示す。符合９は、制御機であり、同装置内各部のＡＢＣＤＥＦＧＨの欧文字記号で示す各部名称については、それぞれ符号の説明に示す。図２５に表示する機器間接続図、図２５と図２６に表示する制御機接続図において、接続接点を丸数字記号で表示する。
【００１１】
屋外機はサイレン１と面版(図２７参照)によって覆われている回転灯内臓防犯灯２とキースイッチ３を屋外機取り付けベース４のボード上に構成したものである。屋内機の主装置は、各センサーの感知した情報により警備されるべき建築物の内外に設置される電子装置を作動させるコントローラー６と、人の体温を感知することができるパッシブインフラレッドセンサー７と、非常通報装置８と、制御器９と、屋内電子サイレン５を屋内機取り付けベース１０ボード上に構成したものである。パッシブインフラレッドセンサー７は、人の体温を感知して建築物に機械警備システムが設置される室内への泥棒の侵入を常に監視しており、パッシブインフラレッドセンサー７の感知により情報を得てコントローラー６の制御によって感知した電気信号を送って屋外機のサイレンと回転灯を作動する。又本考案は、パッシブインフラレッドセンサー７の感知によって非常通報装置により情報を電話回線を介して端末の電話機に出力する。屋内電子サイレン５は、泥棒の侵入時にパッシブインフラレッドセンサーからの情報により１００ｄＢの音声で威嚇攻撃する。制御器９はこれらの警備システムを総合的にコントロールしている。屋内電子サイレン５は、ベルであっても良い。
【００１２】
図１８、２５の実施例は、センサー１台接続時の制御機９に出力コネクタＣ（４ピン  メタルコンセント），Ｄ（６ピン  メタルコンセント）を取付けた例である。電話機の保安器からの配線をモジュラーコンセントＦ（電話）と、電話機からの配線をモジュラーコンセントＧ（ライン）に接続できる。      
【００１３】
このようなパック化した警備システムの形態を採用したので、屋外機と屋内機の特性を機能的に低下させることなく、屋外機からの配線をコネクタで出力コネクタＣ，Ｄ(図１８，図１９参照)に接続できる。従って、容易に且つ短時間で警備システムを設置することが可能になり、作業者はパック警備システムの設置若しくは撤去の工事の作業を簡易に成し得るため、仮説事務所のような短期間の警備システムの設置を必要とされる需要にも対応して効率的に機械警備システムを設置若しくは撤去できるようにする効果がある。
【実施例２】
【００１４】
図１９、２６の実施例２では、屋外機に取り付けたキースイッチ３からの配線をセンサー２台接続時の制御機９に取付けた出力コネクタＣ（４ピン  メタルコンセント）に，回転灯内臓の防犯灯２を出力コネクタＤ（６ピン  メタルコンセント）に，及び増設パッシブインフラレットセンサーを出力コネクタＨ（５ピン  メタルコンセント）にそれぞれ接続できる。
【産業上の利用可能性】
【００１５】
本考案は、建築物の屋外に設置する屋外機取り付けベースにスピーカーサイレンと、回転灯を内蔵した防犯灯と、キースイッチとをそれぞれ取り付けた屋外機からの配線をコネクタで接続する主装置を屋内機取り付けベースに取り付ける屋内機とを設け、前記主装置には非常通報装置と、パッシブインフラレッドセンサーと、制御機と、屋内電子サイレンを屋内機取り付けベースに配置して、前記屋外機からの配線を屋内機主装置にコネクタで接続することが可能になるようにしたので、工事者による設置が容易であり、撤去も容易である。このために、パック化された屋外機と屋内機により機械警備システムを、設置工事から撤去までの期間が極めて短い仮説事務所の建築物の警備の用途にも適用できるものとなる。従って、本考案に係るパック警備システムは、需要者により、屋外機取り付けベースと屋内機取り付けベースを数本のネジで設置し、屋外機からの配線を屋内機の主装置にコネクタで接続して設置すること及び仮説事務所の各部屋に増設インフラレットセンサーを設置することや、それらの設置した装置を撤去することも可能である。
【図面の簡単な説明】
【００１６】
【図１】パック警備システムの屋内機の実施方法を示した説明図である。（実施例１）
【図２】パック警備システムの屋内機のパッシブインフラレットセンサーの実施方法を示した説明図である。（実施例１）
【図３】パック警備システムの屋内機取り付けベースの実施方法を示した説明図である。（実施例１）
【図４】パック警備システムの屋外機取り付けベースの実施方法を示した説明図である。（実施例１）
【図５】パック警備システムの屋外きの回転灯内臓の防犯灯の実施方法を示した説明図である。（実施例１）
【図６】パック警備システムの屋外機の実施方法を示した説明図である。（実施例１）
【図７】パック警備システムの主装置のコントローラーの正面図である。（実施例１）
【図８】パック警備システムの主装置のコントローラーの側面図である。（実施例１）
【図９】パック警備システムの主装置のコントローラーの背面図である。（実施例１）
【図１０】パック警備システムのキースイッチの正面図である。（実施例１）
【図１１】パック警備システムのキースイッチの側面図である。（実施例１）
【図１２】パック警備システムのキースイッチの背面図である。（実施例１）
【図１３】パック警備システムのパッシブインフラレッドセンサーの側面図である。（実施例１）
【図１４】パック警備システムのパッシブインフラレッドセンサーの正面図である。（実施例１）
【図１５】パック警備システムの非常通報装置の実施方法を示した説明図である。（実施例１）
【図１６】パック警備システムのスピーカーサイレンの実施方法を示した説明図である。（実施例１）
【図１７】パック警備システムのスピーカーサイレンの取り付け孔の実施方法を示した説明図である。（実施例１）
【図１８】パック警備システムの制御機のセンサー１台接続時の実施方法を示した説明図である。（実施例１）
【図１９】パック警備システムの制御機のセンサー２台接続時の実施方法を示した説明図である。（実施例２）
【図２０】パック警備システムの制御リレー接点の実施方法を示した説明図である。（実施例１）
【図２１】パック警備システムの制御リレー取り付け孔の実施方法を示した説明図である。（実施例１）
【図２２】パック警備システムの制御リレーの側面図である。（実施例１）
【図２３】パック警備システムの制御リレーの正面図である。（実施例１）
【図２４】パック警備システムの機器間接続図の実施方法を示した説明図である。（実施例２）
【図２５】パック警備システムの制御機接続図(センサー１台接続時)の実施方法を示した説明図である。（実施例１）
【図２６】パック警備システムの制御機接続図(センサー２台接続時)の実施方法を示した説明図である。（実施例２）
【図２７】パック警備システムの回転灯内臓の防犯灯を覆っている面版の実施方法を示した説明図である。（実施例１）
【図２８】パック警備システムの増設パッシブインフラレッドセンサーの実施方法を示した説明図である。（実施例１）
【図２９】パック警備システムの屋内電子サイレンの実施方法を示した説明図である。（実施例１）
【符号の説明】
【００１７】
１    サイレン
２    回転灯内臓の防犯灯（図２７に示す面版により覆われる）
３    キースイッチ
４    屋外機取り付けベース
５    屋内電子サイレン
６    コントローラー
７    パッシブインフラレッドセンサー
８    非常通報装置
Ａスピーカー
Ｂ通報先設定ランプ
Ｃ通報ボタン
Ｄ通報停止ボタン
Ｅ電池ランプ
Ｆ乾電池ボックス
Ｇ内臓マイク
９    制御機
Ａパイロットランプ(ネオン管)
Ｂトグルスイッチ
Ｃ出力コネクタ（４ピン  メタルコンセント）
Ｄ出力コネクタ（６ピン  メタルコンセント）
Ｅ主電源（ＡＣ１００Ｖ）
Ｆモジュラーコンセント（ＴＥＬ）
Ｇモジュラーコンセント（ＬＩＮＥ）
Ｈ出力コネクタ（５ピン  メタルコンセント）
１０    屋内機取り付けベース
【図１】
0003141257.tif 000003
【図２】
0003141257.tif 000004
【図３】
0003141257.tif 000005
【図４】
0003141257.tif 000006
【図５】
0003141257.tif 000007
【図６】
0003141257.tif 000008
【図７】
0003141257.tif 000009
【図８】
0003141257.tif 000010
【図９】
0003141257.tif 000011
【図１０】
0003141257.tif 000012
【図１１】
0003141257.tif 000013
【図１２】
0003141257.tif 000014
【図１３】
0003141257.tif 000015
【図１４】
0003141257.tif 000016
【図１５】
0003141257.tif 000017
【図１６】
0003141257.tif 000018
【図１７】
0003141257.tif 000019
【図１８】
0003141257.tif 000020
【図１９】
0003141257.tif 000021
【図２０】
0003141257.tif 000022
【図２１】
0003141257.tif 000023
【図２２】
0003141257.tif 000024
【図２３】
0003141257.tif 000025
【図２４】
0003141257.tif 000026
【図２５】
0003141257.tif 000027
【図２６】
0003141257.tif 000028
【図２７】
0003141257.tif 000029
【図２８】
0003141257.tif 000030
【図２９】
0003141257.tif 000031